(57)【要約】【課題】温度調整が必要なタイミングで即座に温度調整をすることができる温度調整装置を提供する。【解決手段】第１の熱伝導面である主面２１ｂ及び第２の熱伝導面である主面２１ｃを有するペルチェ素子２１と、ペルチェ素子２１に電流を供給する電流供給部１１と、主面２１ｂ側に配置され、ペルチェ素子２１の駆動により冷却された主面２１ｂ側に生成された結露水を蓄積する保湿部２０と、結露水を用いてミストを生成するミスト生成部２２と、ミストを含む空気を被温度調整対象物に送風する送風部２３と、を備えることにより、ミストを含む空気の送風が必要な時に、予め保湿部２０に蓄積された結露水を用いて即座にミストを生成することができる。【選択図】図３
2011089684.tif 000002
【特許請求の範囲】
【請求項１】
第１の熱伝導面及び第２の熱伝導面を有するペルチェ素子と、
前記ペルチェ素子に電流を供給する電流供給手段と、
前記第１の熱伝導面側に配置され、前記ペルチェ素子の駆動により前記第１の熱伝導面側に生成された結露水を蓄積する保湿手段と、
前記結露水を用いてミストを生成するミスト生成手段と、
前記ミストを含む空気を被温度調整対象物に送風する送風手段と、
を備える温度調整装置。
【請求項２】
前記ペルチェ素子に供給される電流の方向を変更する電流方向変更手段を備える請求項１に記載の温度調整装置。
【請求項３】
前記第１の熱伝導面側に存在する空気を前記第２の熱伝導面側へ流通させる、又は、前記第２の熱伝導面側に存在する空気を前記第１の熱伝導面側へ流通させる空気流通手段を備える請求項１又は２に記載の温度調整装置。
【請求項４】
前記ミスト生成手段は、前記結露水を超音波で振動させる超音波発生器である請求項１〜３の何れか一項に記載の温度調整装置。
【請求項５】
前記保湿手段は、多孔質体を含んで構成される請求項１〜４の何れか一項に記載の温度調整装置。
【発明の詳細な説明】
【技術分野】
【０００１】
本発明は、温度調整装置に関するものである。
【背景技術】
【０００２】
従来、温度を調整する装置として、ペルチェ素子を用いたものが知られている（例えば、特許文献１参照）。特許文献１記載の温度調整装置は、ペルチェ素子の冷却面に空気中の水分を結露水として凝縮させ、この結露水に高電圧を印加することでミスト化し、空気中に噴霧させるものである。
【先行技術文献】
【特許文献】
【０００３】
【特許文献１】特開２００６−１４９５３８号公報
【発明の概要】
【発明が解決しようとする課題】
【０００４】
しかしながら、従来の温度調整装置にあっては、温度調整が必要なタイミングになるたびにペルチェ素子を作動させて結露水を発生させているので、結露水が発生するまで温度調整ができないおそれがある。
【０００５】
そこで、本発明はこのような技術課題を解決するためになされたものであって、温度調整が必要なタイミングで即座に温度調整をすることができる温度調整装置を提供することを目的とする。
【課題を解決するための手段】
【０００６】
すなわち、本発明に係る温度調整装置は、第１の熱伝導面及び第２の熱伝導面を有するペルチェ素子と、前記ペルチェ素子に電流を供給する電流供給手段と、前記第１の熱伝導面側に配置され、前記ペルチェ素子の駆動により前記第１の熱伝導面側に生成された結露水を蓄積する保湿手段と、前記結露水を用いてミストを生成するミスト生成手段と、前記ミストを含む空気を被温度調整対象物に送風する送風手段とを備えて構成される。
【０００７】
本発明に係る温度調整装置によれば、ペルチェ素子の第１の熱伝導面側に配置された保湿手段により、冷却された第１の熱伝導面に結露した結露水を蓄積することができる。このため、新たな結露水を生成することなく、ミスト生成手段により、保湿手段で蓄積された結露水を用いてミストを即座に生成することが可能となる。このように、保湿手段により蓄積された結露水を用いてミストを生成することができるので、生成したミストを含む空気を被温度調整対象物に即座に送風することが可能となる。よって、温度調整が必要なタイミングで即座に被温度調整対象物の温度調整をすることができる。
【０００８】
ここで、前記ペルチェ素子に供給される電流の方向を変更する電流方向変更手段を備えることが好適である。このように構成することで、第１の熱伝導面及び第２の熱伝導面を、冷却面として機能させたり、発熱面として機能させたりすることができる。このため、第１の熱伝導面側に配置された保湿手段により蓄積している結露水に対して熱を加えることが可能となるので、例えば加熱殺菌により衛生的な保湿状態を保つことができる。さらに、結露水により熱を加えた状態でミストを生成することができるので、ミストを含んだ温風を送風することが可能となる。
【０００９】
また、前記第１の熱伝導面側に存在する空気を前記第２の熱伝導面側へ流通させる、又は、前記第２の熱伝導面側に存在する空気を前記第１の熱伝導面側へ流通させる空気流通手段を備えることが好適である。このように構成することで、例えば、発熱面で高温となった空気を積極的に冷却面へ流通させることができるので、冷却面での結露水の発生量を多くすることが可能となる。
【００１０】
また、前記ミスト生成手段は、前記結露水を超音波で振動させる超音波発生器であってもよい。また、前記保湿手段は、多孔質体を含んで構成されていてもよい。
【発明の効果】
【００１１】
本発明によれば、温度調整が必要なタイミングで即座に温度調整をすることができる。
【図面の簡単な説明】
【００１２】
【図１】実施形態に係る温度調整装置を備える車両の構成を示すブロック図である。
【図２】図１に示す温度調整装置の一部構成を示す断面図である。
【図３】図１に示す温度調整装置の一部構成を示す断面図である。
【図４】実施形態に係る温度調整装置の動作を示すフローチャートである。
【図５】実施形態に係る温度調整装置の動作を示すフローチャートである。
【図６】実施形態に係る温度調整装置の動作を示すフローチャートである。
【図７】ヒートシンク及びペルチェ素子の冷却面側の温度の時間依存性を示すグラフである。
【図８】飽和水蒸気量の温度依存性を示すグラフである。
【発明を実施するための形態】
【００１３】
以下、添付図面を参照して本発明の実施形態について説明する。なお、各図において同一又は相当部分には同一の符号を付し、重複する説明を省略する。
【００１４】
本実施形態に係る温度調整装置は、温度上昇した箇所を素早く冷やすために好適に用いられるものである。例えば、本実施形態に係る温度調整装置は、夏場等において温度上昇した車両用ハンドル（被温度調整対象物）を素早く冷やすために、車内エアコン等に好適に採用されるものである。
【００１５】
最初に、本実施形態に係る温度調整装置を備える車両について説明する。図１は、実施形態に係る温度調整装置１を備える車両３の構成を示す概要図である。図２、３は、本実施形態に係る温度調整装置１の一部構成を示す断面図である。
【００１６】
図１に示すように、温度調整装置１は、電源１０、本体部２、送風部（送風手段）２３、風路切替弁（空気流通手段）２４、水滴センサ３１及びＥＣＵ（Electronic  Control  Unit）３０を備えている。
【００１７】
ＥＣＵ３０は、例えば、電子制御する自動車デバイスのコンピュータであり、ＣＰＵ（Central  Processing  Unit）、ＲＯＭ（Read  Only  Memory）やＲＡＭ（Random  Access  Memory）等のメモリ、及び入出力インターフェイスなどを備えて構成されている。ＥＣＵ３０は、電源１０、本体部２、送風部２３、風路切替弁２４、水滴センサ３１に接続されており、温度調整装置１の動作を制御する機能を有している。
【００１８】
電源１０は、ＥＣＵ３０の制御信号に基づいて本体部２へ電流を供給する電流供給部（電流供給手段）１１、及びＥＣＵ３０の制御信号に基づいて本体部２へ供給する電流の方向を変更する電流方向変更部（電流方向変更手段）１２を有している。
【００１９】
本体部２は、ペルチェ効果を利用した熱電素子であるペルチェ素子２１、ペルチェ素子２１の冷却効果によって結露した水（結露水）を蓄える保湿部（保湿手段）２０、及び、保湿部２０に蓄積された結露水を用いてミスト（霧）を生成するミスト生成部（ミスト生成手段）２２を備えている。以下では、図２を用いて、本体部２の詳細を説明する。
【００２０】
図２に示すように、ペルチェ素子２１は、例えば、略板状を呈し、その上面側に第１の主面２１ｂ、その下面側に第１の主面２１ｂに対向する第２の主面２１ｃを有している。電源１０からペルチェ素子２１に電流が供給されると、第１の主面２１ｂ及び第２の主面２１ｃは、ペルチェ素子部２１ａを介して熱交換される。例えば、電源１０からペルチェ素子２１に第１の方向に電流が供給されると、第１の主面２１ｂから第２の主面２１ｃへ熱が移動する。この時、第１の主面２１ｂは吸熱するため冷却面として機能し、第２の主面２１ｃは発熱するため発熱面として機能する。他方、電源１０からペルチェ素子２１に第１の方向とは逆の極性（第２の方向）に電流が供給されると、第２の主面２１ｃから第１の主面２１ｂへ熱が移動する。この時、第１の主面２１ｂは発熱するため発熱面として機能し、第２の主面２１ｃは吸熱するため冷却面として機能する。このように、ペルチェ素子２１は、電源１０から供給される電流の方向に応じて、第１の主面２１ｂ及び第２の主面２１ｃを冷却面として機能させたり、発熱面として機能させたりする。
【００２１】
ペルチェ素子２１の第１の主面２１ｂが冷却面として機能した場合、第１の主面２１ｂ側の空気が冷却され、空気中に含まれる水分が結露する。空気１ｍ３に水蒸気として溶け込み得る水分量は、圧力に関係なく温度により決定される。この水分量を飽和水蒸気量といい、飽和水蒸気量以上の水分がある場合には、空気に溶け込むことができずに結露して水滴となる。図８は、飽和水蒸気量の温度依存性を示すグラフ（湿度８０％）であり、縦軸が水蒸気圧、横軸が温度である。飽和水蒸気曲線Ｋで示すように、例えば温度４０℃では、飽和水蒸気量は５１．０ｇ／ｍ３、温度３０℃では、飽和水蒸気量は３０．３ｇ／ｍ３、温度２０℃では、飽和水蒸気量は１７．３ｇ／ｍ３となる。例えば、温度ＴＡ１で水蒸気圧α１の場合（図中Ａ１）には、飽和水蒸気曲線Ｋ上の水蒸気圧α１となる温度ＴＡ２以下に冷却されると（図中Ａ２）、結露する。また、例えば、温度ＴＢ１で水蒸気圧α２の場合（図中Ｂ１）には、飽和水蒸気曲線Ｋ上の水蒸気圧α２となる温度ＴＢ２以下に冷却されると（図中Ｂ２）、結露する。
【００２２】
ペルチェ素子２１の第１の主面２１ｂ側には、保湿部２０が配置されている。保湿部２０は、第１の主面２１ｂが冷却面として機能して生成した結露水を蓄積する機能を有している。保湿部２０としては、熱伝導性を有し複数の凸部が形成されたフィンや、吸湿性のある水吸収体、又はこれらの組み合わせが用いられる。水吸収体としては、例えばスポンジが用いられる。また、水吸収体として、熱を加えると吸着させた水を放出する性質を有する多孔質体（ウレタン、ゼオライト、シリカゲル、アロフェン、イモゴライト等）を用いてもよい。
【００２３】
ペルチェ素子２１の第２の主面２１ｃ側には、ヒートシンク２５が配置されている。ヒートシンク２５は、放熱面積を大きくするために凸部を複数有し、第２の主面２１ｃの熱を伝導させる機能を有している。例えば、第２の主面２１ｃが放熱面として機能する場合には、ヒートシンク２５は第２の主面２１ｃが放出する熱を拡散させる放熱板として機能する。ヒートシンク２５として、例えば熱伝導性を有する材料（アルミニウム）等が用いられる。
【００２４】
また、ペルチェ素子２１の第２の主面２１ｃ側には、ヒートシンク２５を介してミスト生成部２２が配置されている。ミスト生成部２２は、ペルチェ素子２１により生成された結露水、及び保湿部２０により蓄積されている結露水を用いてミストＭを生成する機能を有している。例えば、ミスト生成部２２は、ＥＣＵ３０の制御信号に基づいて、ペルチェ素子２１により生成された結露水、及び保湿部２０により蓄積されている結露水を超音波で振動させることでミストＭを生成する機能を有している。例えば、ミスト生成部２２は、ＥＣＵ３０の制御信号に基づいて、保湿部２０により蓄積されている結露水を超音波で振動させてペルチェ素子２１の上面側（第１の主面２１ｂ側）からミストＭを空気中に噴霧する機能を有している。ミスト生成部２２として、例えば超音波振動子が用いられる。
【００２５】
また、図１に示す水滴センサ３１は、保湿部２０に蓄えられた水滴を検出する機能を有している。水滴センサ３１として、例えば、光学式の水滴センサが用いられる。水滴センサ３１は、検出した結果をＥＣＵ３０へ出力する機能を有している。
【００２６】
送風部２３は、ＥＣＵ３０の制御信号に基づいて、ミスト生成部２２により生成されたミストを含む空気を被温度調整対象物に送風する機能を有している。また、風路切替弁２４は、ＥＣＵ３０の制御信号に基づいて、送風部２３が送り込む風の流路を切替える機能を有している。以下では、図３を用いて送風部２３及び風路切替弁２４の構成の詳細を説明する。図３では、箱型の外装ケース２７の内部に、上述した本体部２を構成するペルチェ素子２１、保湿部２０、ヒートシンク２５及びミスト生成部２２が、外装ケース２７の内面と空間を空けるように配置されている。そして、保湿部２０の上面側には、保湿部２０が蓄積している水から生成されたミストを案内する案内カバー２６が取り付けられている。
【００２７】
送風部２３は、外装ケース２７の底部の内側に、本体部２と対向するように配置されている。送風部２３から送り込まれる空気は、本体部２と外装ケース２７との間に形成された風路を通り（図中点線）、外装ケース２７の内部から外部へ放出される。送風部２３として、例えば送風ファンが用いられる。
【００２８】
本体部２と外装ケース２７との間に形成された風路の途中には、風路を変更する風路切替弁２４が配置されている。風路切替弁２４が開とされる場合には、送風部２３から送り込まれた空気は、そのまま外装ケース２７の内部から外部へ放出され、被温度調整対象物に供給される。他方、風路切替弁２４が閉とされる場合には、送風部２３から送り込まれた空気は、保湿部２０側に供給され、保湿部２０を通り案内カバー２６から外部へ放出され、被温度調整対象物に供給される。すなわち、風路切替弁２４は、保湿部２０に空気を送り込むことにより水滴のミスト化を促進させるとともに、ミストを含む空気を案内カバー２６から外部へ放出させる機能を有している。
【００２９】
以上説明した温度調整装置１では、電源１０から供給された電流によりペルチェ素子２１が結露水を生成し、生成した結露水を保湿部２０が蓄積し、蓄積された結露水を用いてミスト生成部２２がミストを生成し、送風部２３及び風路切替弁２４によりミストを含む空気が被温度調整対象物へ供給される。すなわち、温度調整装置１は、能動的な給水を行うことなく、大気中の水分を利用してミストを生成する、いわゆる無給水型の温度調整装置である。
【００３０】
ここで、本実施形態に係る温度調整装置１の動作の詳細を説明する。最初に、温度調整装置１が被温度調整対象物を冷却する動作（冷却動作モード）を説明する。図４は、温度調整装置１の冷却動作モードを示すフローチャートである。図４に示す制御処理は、例えば車両３がイグニッションＯＮされたタイミング、あるいは、温度調整の実行スイッチがＯＮされたタイミングから所定の間隔で繰り返し実行される。
【００３１】
図４に示すように、温度調整装置１は、風路切替処理から開始する（Ｓ１０）。Ｓ１０の処理では、風路切替弁２４が全開となり、本体部２と外装ケース２７との間に、外装ケース２７の内部から外部へ通じる風路が確保される。Ｓ１０の処理が終了すると、ペルチェ素子駆動処理へ移行する（Ｓ１２）。
【００３２】
Ｓ１２の処理では、電源１０の電流供給部１１が電流をペルチェ素子２１へ供給し、ペルチェ素子２１が駆動する。なお、ここでは、ペルチェ素子２１の第１の主面２１ｂが冷却面、第２の主面２１ｃが放熱面として機能するように電流が供給されているものとする。Ｓ１２の処理が終了すると、ファン駆動処理へ移行する（Ｓ１４）。
【００３３】
Ｓ１４の処理では、送風部２３が送風を開始する。例えば、ＥＣＵ３０の制御信号に基づいて、ファンの回転数の制御が行われる。Ｓ１４の処理が終了すると、水滴判定処理へ移行する（Ｓ１６）。
【００３４】
Ｓ１６の処理では、保湿部２０に結露水（水滴）が蓄積されているか否かをＥＣＵ３０が判定する。ＥＣＵ３０は、水滴センサ３１の出力結果に基づいて、保湿部２０に結露水が蓄積されているか否かを判定する。Ｓ１６の処理において、保湿部２０に水滴があるとＥＣＵ３０が判定した場合には、超音波発振処理へ移行する（Ｓ１８）。
【００３５】
Ｓ１８の処理では、ミスト生成部２２が超音波を発振し、保湿部２０に蓄積された結露水を振動させる。これにより保湿部２０に蓄積された結露水は、ミストとなる。Ｓ１８の処理が終了すると、風路切替処理へ移行する（Ｓ２０）。
【００３６】
Ｓ２０の処理では、風路切替弁２４が閉となり、送風部２３により外部へ放出される放熱面側の空気を、冷却面側（保湿部２０側）へ誘導する。このように保湿部２０側に風を当てることにより、ミストの生成を促進させることができる。また、放熱面側で温められた空気を冷却面側に送り込むことで、空気の温度と冷却面側の温度との差を大きくすることができるので、結露水の生成を促進させることができる。さらに、保湿部２０から発生したミストを含む空気を外部へ出力させることができる。Ｓ２０の処理が終了すると、実行スイッチ確認処理へ移行する（Ｓ２２）。
【００３７】
Ｓ２２の処理では、ＥＣＵ３０が、実行スイッチがＯＦＦとされているか否かを判定する。実行スイッチは、例えば、乗員によって操作可能に構成されている。また、実行スイッチは、イグニッションＯＮ等と連動してＯＮとされてもよいし、一定期間後にＯＦＦとなったり、被温度調整対象物を目標温度まで冷却したらＯＦＦとなったりするように構成されていてもよい。Ｓ２２の処理において、ＥＣＵ３０が、実行スイッチがＯＦＦとされていないと判定した場合には、水滴判定処理へ再度移行する（Ｓ１６）。このように、実行スイッチがＯＦＦとされていない場合であって、保湿部２０に結露水が蓄積されている間は、Ｓ１８、Ｓ２０の処理が繰り返し実行されて、生成されたミストを含む空気が外部へ出力される。
【００３８】
一方、Ｓ１６の処理において、保湿部２０に水滴がないとＥＣＵ３０が判定した場合には、風路切替処理へ移行する（Ｓ２４）。Ｓ２４の処理では、Ｓ１０の処理と同様に、風路切替弁２４が全開となり、本体部２と外装ケース２７との間に、外装ケース２７の内部から外部へ通じる風路が確保される。Ｓ２４の処理が終了すると、ファン駆動処理へ移行する（Ｓ２６）。
【００３９】
Ｓ２６の処理では、所定期間、送風部２３がＥＣＵ３０の制御信号に基づいて単位時間あたりの送風量を増やして送風する。例えば、所定の間、ファンの回転数を最大に制御する。このように、保湿部２０に水滴が存在しない場合には、送風によって被温度調整対象物を冷却するように動作する。Ｓ２６の処理が終了すると、実行スイッチ確認処理へ移行する（Ｓ２２）。このため、実行スイッチがＯＦＦとされていない場合であって、保湿部２０に結露水が蓄積されていない間は、Ｓ２４、Ｓ２６の処理が繰り返し実行されて、空気が外部へ出力される。
【００４０】
一方、Ｓ２２の処理において、ＥＣＵ３０が、実行スイッチがＯＦＦとされていると判定した場合には、図４に示す制御処理を終了する。
【００４１】
以上で図４に示す制御処理を終了する。図４に示す制御処理を実行することで、空気中の水分を効率よく結露させて保湿部２０に蓄積し、蓄積した結露水を用いてミストを生成し、生成したミストを含む空気を送風することができる。このため、被温度調整対象物を間接的な媒体（ミスト）を用いて冷却することが可能となる。
【００４２】
次に、温度調整装置１が結露水の加熱殺菌を行う動作（クリーニング動作モード）を説明する。図５は、温度調整装置１のクリーニング動作モードを示すフローチャートである。図５に示す制御処理は、例えば車両３がイグニッションＯＮされたタイミング、あるいは、クリーニングの実行スイッチがＯＮされたタイミングから所定の間隔で繰り返し実行される。なお、図５に示すクリーニング動作モードは、図４に示す冷却動作モードが利用されていないタイミングで実行される。
【００４３】
図５に示すように、温度調整装置１は、水滴判定処理から開始する（Ｓ３０）。Ｓ３０の処理では、保湿部２０に結露水（水滴）が蓄積されているか否かをＥＣＵ３０が判定する。ＥＣＵ３０は、水滴センサ３１の出力結果に基づいて、保湿部２０に結露水が蓄積されているか否かを判定する。Ｓ３０の処理において、保湿部２０に水滴があるとＥＣＵ３０が判定した場合には、加熱接続処理へ移行する（Ｓ３２）。
【００４４】
Ｓ３２の処理では、保湿部２０が形成されているペルチェ素子２１の第１の主面２１ｂ側が放熱面となるように、電源１０の電流方向変更部１２が、電流供給部１１によってペルチェ素子２１へ供給される電流の方向を変更する。例えば、電流方向変更部１２は、ペルチェ素子２１の第１の主面２１ｂ側が冷却面として機能していた電流方向とは逆の電流方向となるように、電源１０の出力側の極性を変更する。Ｓ３２の処理が終了すると、ペルチェ素子駆動処理へ移行する（Ｓ３４）。
【００４５】
Ｓ３４の処理では、Ｓ３２の処理で設定した電流方向で電源１０の電流供給部１１が電流をペルチェ素子２１へ供給し、ペルチェ素子２１が駆動する。これにより、冷却面として機能していたペルチェ素子２１の第１の主面２１ｂ側が放熱面として機能し、熱を発生する。第１の主面２１ｂから放出された熱は、保湿部２０に伝播し、保湿部２０に蓄積された結露水の温度が上昇する（あるいは結露水が煮沸される）。このように、ペルチェ素子２１の極性を入れ替えて放熱させ、結露水を滅菌することができる。Ｓ３４の処理が終了すると、実行スイッチ確認処理へ移行する（Ｓ３６）。
【００４６】
Ｓ３６の処理では、ＥＣＵ３０が、実行スイッチがＯＦＦとされているか否かを判定する。実行スイッチは、例えば、乗員によって操作可能に構成されている。また、実行スイッチは、イグニッションＯＮ等と連動してＯＮとされてもよいし、一定期間後にＯＦＦとなったり、結露水を目標温度まで冷却したらＯＦＦとなったりするように構成されていてもよい。Ｓ３６の処理において、ＥＣＵ３０が、実行スイッチがＯＦＦとされていないと判定した場合には、水滴判定処理へ再度移行する（Ｓ３０）。このように、実行スイッチがＯＦＦとされていない場合であって、保湿部２０に結露水が蓄積されている間は、Ｓ３４、Ｓ３６の処理が繰り返し実行されて、保湿部２０に蓄積された結露水が加熱滅菌される。
【００４７】
一方、Ｓ３０の処理において、保湿部２０に水滴が存在しない場合には、加熱滅菌する必要性がないため、図５に示す制御処理を終了する。一方、Ｓ３６の処理において、ＥＣＵ３０が、実行スイッチがＯＦＦとされていると判定した場合には、図５に示す制御処理を終了する。
【００４８】
以上で図５に示す制御処理を終了する。図５に示す制御処理を実行することにより、結露水の加熱殺菌を行うことができる。
【００４９】
次に、温度調整装置１がミストを含む空気を温風として送風する動作（温熱動作モード）を説明する。図６は、温度調整装置１の温熱動作モードを示すフローチャートである。図６に示す制御処理は、例えば車両３がイグニッションＯＮされたタイミング、あるいは、温熱動作モードの実行スイッチがＯＮされたタイミングから所定の間隔で繰り返し実行される。
【００５０】
図６に示すように、温度調整装置１は、水滴判定処理から開始する（Ｓ４０）。Ｓ４０の処理では、保湿部２０に結露水（水滴）が蓄積されているか否かをＥＣＵ３０が判定する。ＥＣＵ３０は、水滴センサ３１の出力結果に基づいて、保湿部２０に結露水が蓄積されているか否かを判定する。Ｓ４０の処理において、保湿部２０に水滴があるとＥＣＵ３０が判定した場合には、加熱接続処理へ移行する（Ｓ４２）。
【００５１】
Ｓ４２の処理では、保湿部２０が形成されているペルチェ素子２１の第１の主面２１ｂ側が放熱面となるように、電源１０の電流方向変更部１２が、電流供給部１１によってペルチェ素子２１へ供給される電流の方向を変更する。例えば、電流方向変更部１２は、ペルチェ素子２１の第１の主面２１ｂ側が冷却面として機能していた電流方向とは逆の電流方向となるように、電源１０の出力側の極性を変更する。Ｓ４２の処理が終了すると、ペルチェ素子駆動処理へ移行する（Ｓ４４）。
【００５２】
Ｓ４４の処理では、Ｓ４２の処理で設定した電流方向で電源１０の電流供給部１１が電流をペルチェ素子２１へ供給し、ペルチェ素子２１が駆動する。これにより、冷却面として機能していたペルチェ素子２１の第１の主面２１ｂ側が放熱面として機能し、熱を発生する。第１の主面２１ｂから放出された熱は、保湿部２０に伝播し、保湿部２０に蓄積された結露水の温度が上昇する（あるいは結露水が煮沸される）。Ｓ４４の処理が終了すると、超音波発振処理へ移行する（Ｓ４６）。
【００５３】
Ｓ４６の処理では、ミスト生成部２２が超音波を発振し、保湿部２０に蓄積された結露水を振動させる。これにより保湿部２０に蓄積された結露水は、ミストとなる。Ｓ１８の処理が終了すると、風量選択処理へ移行する（Ｓ４８）。
【００５４】
Ｓ４８の処理では、送風部２３がＥＣＵ３０の制御信号に基づいて単位時間あたりの送風量を減らして送風する。例えば、ファンの回転数を小さく制御して風量を弱くする。Ｓ４８の処理が終了すると、風路切替処理へ移行する（Ｓ５０）。
【００５５】
Ｓ５０の処理では、風路切替弁２４が閉となり、送風部２３により外部へ放出される空気を、発熱面側（保湿部２０側）へ誘導する。このように保湿部２０側に風を当てることにより、温度が高い結露水から生成されたミストを含む空気を外部へ出力させることができる。Ｓ５０の処理が終了すると、実行スイッチ確認処理へ移行する（Ｓ５２）。
【００５６】
Ｓ５２の処理では、ＥＣＵ３０が、実行スイッチがＯＦＦとされているか否かを判定する。実行スイッチは、例えば、乗員によって操作可能に構成されている。また、実行スイッチは、イグニッションＯＮ等と連動してＯＮとされてもよいし、一定期間後にＯＦＦとなったり、被温度調整対象物の温度が目標温度に達するとＯＦＦとなったりするように構成されていてもよい。Ｓ５２の処理において、ＥＣＵ３０が、実行スイッチがＯＦＦとされていないと判定した場合には、水滴判定処理へ再度移行する（Ｓ４０）。このように、実行スイッチがＯＦＦとされていない場合であって、保湿部２０に結露水が蓄積されている間は、Ｓ４２〜Ｓ５０の処理が繰り返し実行されて、生成されたミストを含む空気が外部へ出力される。
【００５７】
一方、Ｓ５２の処理において、ＥＣＵ３０が、実行スイッチがＯＦＦとされていると判定した場合には、図６に示す制御処理を終了する。
【００５８】
以上で図６に示す制御処理を終了する。図６に示す制御処理を実行することで、ミストを含む温風を被温度調整対象物に供給することができる。
【００５９】
上述した通り、本実施形態に係る温度調整装置１によれば、ペルチェ素子２１の第１の主面２１ｂ側に配置された保湿部２０により、冷却された第１の主面２１ｂに結露した結露水を蓄積することができる。すなわち、前回の結露水の生成で余剰となった結露水を保湿部２０に蓄積することが可能となるので、次回冷却必要時に保湿部２０に蓄積されている結露水を利用して、ミスト生成部２２によりミストを即座に生成することができる。このように、保湿部２０により蓄積された結露水を用いてミストを生成することができるので、生成したミストを含む空気を被温度調整対象物に即座に送風することが可能となる。よって、温度調整が必要なタイミングで即座に被温度調整対象物の温度調整をすることができる。さらに、ペルチェ素子２１を用いることで、温度調整装置１の小型化、省電力化が可能となる。
【００６０】
さらに、ペルチェ素子２１を用いることで、素早く結露水を生成することができる。ここで、図７を用いてペルチェ素子２１の冷却の急速性を説明する。図７は、ヒートシンク２５の時間依存性の計測結果、ペルチェ素子２１の冷却面側における温度の時間依存性の計測結果であり、縦軸が温度、横軸が時間である。測定環境条件は、室温２５℃、湿度６０％である。このような条件下において、ペルチェ素子２１へ図中に示す電圧ＶＰを印加した。縦軸が電圧、横軸が時間である。図７に示すように、時刻ｔ１から電圧ＶＰをペルチェ素子２１に印加すると、ヒートシンク２５の温度ＴＨは上昇し、反対に、ペルチェ素子２１の冷却面側の温度ＴＰは急速に低下する。そして、電圧ＶＰの印加から約２６秒後の時刻ｔ２には温度ＴＰが０℃となり、電圧ＶＰの印加から約５５秒後の時刻ｔ３には結露が観測された。このように、ペルチェ素子２１を採用することで素早く結露水を生成することが確認された。
【００６１】
また、本実施形態に係る温度調整装置１によれば、電流方向変更部１２によりペルチェ素子２１に供給される電流の方向を変更することができるので、第１の主面２１ｂ及び第２の主面２１ｃを、冷却面として機能させたり、発熱面として機能させたりすることができる。このため、結露水生成時には冷却面として機能していた第１の主面２１ｂを発熱面に変更することが可能となり、第１の主面２１ｂ側に配置された保湿部２０により蓄積している結露水に対して熱を加えることができる。これにより、例えば加熱殺菌が可能となるので、超音波を用いてミストを生成する機器において起こりがちな細菌の繁殖を抑制し、衛生的な保湿状態を保つことができる。さらに、結露水により熱を加えた状態でミストを生成することが可能となるので、ミストを含んだ温風を送風することができる。また、保湿部２０に蓄積された結露水を煮沸して蒸気としてミストを発生させることも可能となる。
【００６２】
また、本実施形態に係る温度調整装置１によれば、送風部２３及び風路切替弁２４により、第２の主面２１ｃ（発熱面）側に存在する空気を第１の主面２１ｂ（冷却面）側へ流通させることができる。このため、発熱面で高温となった空気を積極的に冷却面へ流通させることができるので、冷却面の温度と冷却面側に存在する空気の温度との差を大きくすることが可能となる。このため、冷却面での結露水の発生量を増大させることが可能となる。さらに、送風部２３及び風路切替弁２４により、ミスト発生源に風を送り込んでミストの発生時間を短縮させることができる。
【００６３】
また、本実施形態に係る温度調整装置１によれば、冷却媒体を被温度調整対象物に直接配置することなく、間接的に被温度調整対象物の温度を調整することができる。このため、配置の自由度も高く汎用性に優れている。また、ペルチェ素子２１を用いることで小型化が可能なため、既存のエアコンに実装することも可能である。特に、車両用ハンドルを被温度調整対象物とする場合、構造変更や配置に制約があるため、間接的な冷却ができるとともに小型化が実現できる温度調整装置１が有効となる。
【００６４】
なお、上述した実施形態は本発明に係る温度調整装置の一例を示すものである。本発明に係る温度調整装置は、実施形態に係る温度調整装置に限られるものではなく、各請求項に記載した要旨を変更しない範囲で、実施形態に係る温度調整装置を変形し、又は他のものに適用したものであってもよい。
【００６５】
例えば、上述した実施形態では、ヒートシンク２５を設ける例を説明したが、ヒートシンク２５は要求される性能に応じて適宜設ければよい。
【００６６】
また、上述した実施形態では、保湿部２０は、ペルチェ素子２１の第１の主面２１ｂ上に設けられる例を説明したが、例えば、熱伝導性を有する材料を介して第１の主面２１ｂ側に配置されていてもよい。
【００６７】
また、上述した実施形態では、第２の主面２１ｃ（放熱面）側に存在する空気を第１の主面２１ｂ（冷却面）側へ流通させる例を説明したが、冷却面及び放熱面が入れ替わっている場合には、第１の主面２１ｂ側に存在する空気を第２の主面２１ｃ側へ流通させる構成としてもよい。
【００６８】
また、上述した実施形態では、図６において超音波発振処理（Ｓ４６）を実行しているが、Ｓ４６の処理を実行せず、ペルチェ素子２１の加熱処理で生じる蒸気のみでミストを生成してもよい。
【符号の説明】
【００６９】
１…温度調整装置、２…ＥＣＵ、３…車両、１０…送受信制御部（通信手段）、１１…統合演算処理部（統計処理手段）、１２…有効期限算出部（有効期限算出手段）、１３…記録処理部（記録手段）、３０…通信装置。
【図１】
2011089684.tif 000003
【図２】
2011089684.tif 000004
【図３】
2011089684.tif 000005
【図４】
2011089684.tif 000006
【図５】
2011089684.tif 000007
【図６】
2011089684.tif 000008
【図７】
2011089684.tif 000009
【図８】
2011089684.tif 000010